(57)【要約】【課題】屋外で用いる空気調和装置において、通風抵抗が低く、意匠性に優れた表面化粧パネルが求められている。【解決手段】屋外空気調和装置１００は、一つのケーシング１０の中に、圧縮機１と、熱源側熱交換器６と、第１ファン７と、利用側熱交換器３と、第２ファン４と、を収容している。ケーシング１０の側方には、化粧部材２０１、２０２が配置されている。化粧部材２０１，２０２は、開口２１３が形成された主板２１０と、隣接する開口２１３の間の主板２１０から突出する第１突出部２１１と、を有する。【選択図】図５Ａ
2020003177.tif 000002
【特許請求の範囲】
【請求項１】
屋外で使用される空気調和装置（１００）であって、
圧縮機（１）と、
熱源側熱交換器（６）と、
前記熱源側熱交換器に空気を通すための第１ファン（７）と、
利用側熱交換器（３）と、
前記利用側熱交換器に空気を通すための第２ファン（４）と、
前記圧縮機、前記熱源側熱交換器、前記第１ファン、前記利用側熱交換器、および、前記第２ファンを収容するケーシング（１０）と、
前記ケーシングの側方を覆う化粧部材（２０１、２０２）と、
を備え、
前記化粧部材は、
複数の開口（２１３）が形成された主板（２１０）と、
隣接する前記開口の間の前記主板から突出する第１突出部（２１１）と、
を有する、屋外空気調和装置。
【請求項２】
前記化粧部材は、
前記熱源側熱交換器および／または前記利用側熱交換器を通過する空気の吸込み口（３２ａ〜３２ｄ、３３ａ〜３３ｄ）に配置されている、
請求項１に記載の屋外空気調和装置。
【請求項３】
前記化粧部材は、
通風部（２０６）と、
前記通風部の両端に配置された複数の連結部（２０７、２０８）と、
を有し、
前記通風部は、
前記主板と、
前記複数の開口と、
前記第１突出部と、
を有し、
前記連結部は、
前記通風部から連続している前記主板と、
前記通風部から連続している前記第１突出部と、
を有している、
請求項１または２に記載の屋外空気調和装置。
【請求項４】
前記第１突出部の先端は、前記開口を狭くする方向に膨らんでいる、
請求項１〜３のいずれか１項に記載の屋外空気調和装置。
【請求項５】
前記化粧部材は、さらに、
前記第１突出部と交差する方向に前記第１突出部から突出する第２突出部（２１２）を有する、
請求項４に記載の屋外空気調和装置。
【請求項６】
前記第２突出部は、前記第１突出部の先端に配置されている、
請求項５に記載の屋外空気調和装置。
【請求項７】
前記第１突出部の先端は、平坦となっている、
請求項６に記載の屋外空気調和装置。
【請求項８】
前記開口のもっとも狭い部分の幅は、１ｍｍ以上、１２ｍｍ以下である、
請求項１〜７のいずれか１項に記載の屋外空気調和装置。
【請求項９】
前記第１突出部の突出長さ（Ｌ）は、前記開口の幅（Ｗ１）よりも大きい、
請求項１〜８のいずれか１項に記載の屋外空気調和装置。
【発明の詳細な説明】
【技術分野】
【０００１】
屋外で使用される空気調和装置。
【背景技術】
【０００２】
利用側熱交換器、および、熱源側熱交換器を、一つの筐体に備えた、空気調和装置が知られている。従来の空気調和装置は、一般に、室内の局部的空間の冷房、除湿などに用いられていた。たとえば、特許文献１（特開２００２−２２８１８６号公報）に開示されている一体型空気調和装置は、屋外への排気が難しいような窓の無い部屋で利用する空気調和装置である。
【発明の概要】
【発明が解決しようとする課題】
【０００３】
近年、屋外イベントは増加しており、屋外イベント会場や飲食店のテラス席等、屋外空気調和装置の要望が高まってきている。屋外空気調和装置には、従来の室内空気調和装置にはなかった広いエリアの冷房、または、暖房が求められている。
【０００４】
屋外空気調和装置の表面の化粧パネルについては、通風抵抗を小さくすることが重要である。
【課題を解決するための手段】
【０００５】
第１観点の屋外空気調和装置は、屋外で使用される空気調和装置である。空気調和装置は、圧縮機と、熱源側熱交換器と、第１ファンと、利用側熱交換器と、第２ファンと、ケーシングと、化粧部材と、を備えている。第１ファンは、熱源側熱交換器に空気を通すためのものである。第２ファンは、利用側熱交換器に空気を通すためのものである。ケーシングは、圧縮機と、熱源側熱交換器と、第１ファンと、利用側熱交換器と、第２ファンとを、収容している。化粧部材は、ケーシングの側方を覆っている。化粧部材は、主板と、第１突出部とを有している。主板には、複数の開口が形成されている。第１突出部は、隣接する開口の間の主板から突出している。
【０００６】
なお、ケーシングは、支柱と、底板と、天板と、を有していることが好ましい。
【０００７】
第１観点の屋外空気調和装置は、化粧部材の通風抵抗が低く、化粧部材の使用による、冷暖房能力の低下を抑制できる。
【０００８】
第２観点の屋外空気調和装置は、第１観点の屋外空気調和装置であって、化粧部材は、熱源側熱交換器および／または利用側熱交換器を通過する空気の吸込み口に配置されている。
【０００９】
第２観点の屋外空気調和装置は、化粧部材が空気の吸込み口に配置されているときに、より通風抵抗を下げる効果を発揮するため、より、化粧部材の使用による冷暖房能力の低下を抑制できる。
【００１０】
第３観点の屋外空気調和装置は、第１観点または第２観点の屋外空気調和装置であって、化粧部材は、通風部と、連結部とを有している。連結部は、通風部の両端に配置されている。通風部は、主板と、複数の開口と、第１突出部とを有している。連結部は、主板と、第１突出部とを有している。主板は、通風部から連続している。第１突出部は、通風部から連続している。
【００１１】
第３観点の屋外空気調和装置は、化粧部材の通風部、連結部に、連続した主板、第１突出部があるので、統一した意匠が形成できる。
【００１２】
第４観点の屋外空気調和装置は、第１観点〜第３観点のいずれかの屋外空気調和装置であって、第１突出部の先端は、開口を狭くする方向に膨らんでいる。
【００１３】
第４観点の屋外空気調和装置は、第１突出部の先端が開口を狭くする方向に膨らんでいるため、ケーシングの外から、内部が見えにくくなり、美観が向上する。
【００１４】
第５観点の屋外空気調和装置は、第４観点の屋外空気調和装置であって、化粧部材は、さらに、第２突出部を有している。第２突出部は、第１突出部と交差する方向に、第１突出部から突出している。
【００１５】
第６観点の屋外空気調和装置は、第５観点の屋外空気調和装置であって、第２突出部は、第１突出部の先端に配置されている。
【００１６】
第７観点の屋外空気調和装置は、第６観点の屋外空気調和装置であって、第１突出部の先端は平坦となっている。
【００１７】
第７観点の屋外空気調和装置は、第１突出部の先端が平坦となっているため、先端に力が加わっても圧力が分散される構造となり、化粧板の強度を上げることができる。
【００１８】
第８観点の屋外空気調和装置は、第１観点〜第７観点のいずれかの屋外空気調和装置であって、開口のもっとも狭い部分の幅は、１ｍｍ以上、１２ｍｍ以下である。
【００１９】
第８観点の屋外空気調和装置は、開口の幅が１２ｍｍ以下であるので、通風抵抗を下げられる。
【００２０】
第９観点の屋外空気調和装置は、第１観点〜第８観点のいずれかの屋外空気調和装置であって、第１突出部の突出長さは、開口の幅よりも大きい。
【００２１】
第９観点の屋外空気調和装置は、第１突出部の突出長さは、開口の幅よりも大きいので、ケーシングの外側から、装置の内部が見えにくく、意匠的に優れている。
【図面の簡単な説明】
【００２２】
【図１】第１実施形態の屋外空気調和装置１００の冷媒回路を示す図。
【図２】第１実施形態の屋外空気調和装置１００の外観正面図。
【図３Ａ】第１実施形態の屋外空気調和装置１００の内部の構成を示す斜視図。
【図３Ｂ】第１実施形態の屋外空気調和装置１００の内部の構成を示すたて断面図。
【図４Ａ】第１実施形態の下中化粧部材２０２ｂの構成を示す図
【図４Ｂ】第１実施形態の下中化粧部材２０２ｂのＢＢ断面図
【図５Ａ】第１実施形態の下中化粧部材２０２ｂのＡＡ断面図
【図５Ｂ】第１実施形態の下中化粧部材２０２ｂのＢＢ、ＣＣ断面図
【図６】変形例１Ａの化粧部材の通風部の断面図
【図７】変形例１Ｂの化粧部材の通風部の断面図
【図８】変形例１Ｃの化粧部材の通風部の断面図
【発明を実施するための形態】
【００２３】
＜第１実施形態＞
（１）屋外空気調和装置１００の冷媒回路の構成
第１実施形態の屋外空気調和装置１００の冷媒回路を図１に、外観の正面図を図２に示す。本実施形態の屋外空気調和装置は、屋外に配置され、ヒートポンプを用いて、屋外の暖房、冷房、除湿などを行う空気調和装置である。ここで、屋外とは、外気にさらされる空間を意味する。たとえば、公園、野外競技場など、屋根の無いところの場合もあれば、屋根がある戸外空間、東屋や、ベランダのような場所であってもよい。
【００２４】
屋外空気調和装置１００は、冷房、または、除湿のみを行う冷房専用機であってもよい。屋外空気調和装置１００は、暖房のみを行う、暖房専用機であってもよい。屋外空気調和装置１００は、冷房、除湿に加えて、暖房を行う、空気調和装置であってもよい。
【００２５】
本実施形態の屋外空気調和装置１００は、図１に示すような冷媒回路全体を一つのケーシングの中に含む、空気調和装置である。屋外空気調和装置１００は、図１に示すように、圧縮機１、アキュムレーター８、四方切換弁２、利用側熱交換器３、膨張弁５、熱源側熱交換器６を備えている。これらの機器は、配管で接続され、冷媒は各機器を循環して、蒸気圧縮式の冷凍サイクルが行われる。屋外空気調和装置１００は、さらに、利用側熱交換器３、熱源側熱交換器６にそれぞれ空気を送る第２ファン４、第１ファン７を備えている。つまり、本実施形態の利用側熱交換器３、熱源側熱交換器６は、ともに、冷媒と空気で熱交換を行う熱交換器である。
【００２６】
冷房、除湿の場合は、利用側熱交換器３、熱源側熱交換器６は、それぞれ冷凍サイクルの蒸発器、凝縮器として機能する。暖房の場合は、利用側熱交換器、熱源側熱交換器は、それぞれ凝縮器、蒸発器として機能する。冷房と暖房の切換は、四方切換弁２の切換により冷媒の流れを変更することにより、行われる。屋外空気調和装置１００が冷房専用機である場合には、四方切換弁２は不要である。屋外空気調和装置１００が暖房専用機である場合には、デフロスト運転のために、四方切換弁２を備えていてもよい。
【００２７】
屋外空気調和装置１００において用いる冷媒としては、たとえば、Ｒ３２単体、Ｒ３２を含む混合冷媒である。Ｒ３２を含む混合冷媒の例としては、Ｒ４５２Ｂ、Ｒ４１０Ａ、Ｒ４５４Ｂである。Ｒ４５２Ｂは、Ｒ３２が６７．０ｗｔ％、Ｒ１２５が７．０ｗｔ％、Ｒ１２３４ｙｆが２６．０％である。Ｒ４１０Ａは、Ｒ３２が５０ｗｔ％、Ｒ１２５が５０ｗｔ％である。Ｒ４５４Ｂは、Ｒ３２が７２．５ｗｔ％、Ｒ１２３４ｙｆが２７．５ｗｔ％である。
【００２８】
（２）屋外空気調和装置１００の各機器の配置
屋外空気調和装置１００の外観の正面図を図２に、化粧部材、一部の支柱等を取り除いて、主な内部の構成を表示した斜視図、縦断面図を図３Ａ、図３Ｂに示す。
【００２９】
本実施形態の空気調和装置１００では、ケーシング１０の中に、圧縮機１、熱源側熱交換器６、利用側熱交換器３、第１ファン７、第２ファン４、電装品（図示せず）が収容されている。ケーシング１０は、水平断面が、略正方形の直方体形状を有している。水平断面は、多角形、長方形であってもよい。円形であってもよい。ケーシング１０は、４本の支柱１１ａ〜１１ｄと、天板１３と底板１２とを有している。またケーシング１０の内部の空間は中間板１４〜１７によって仕切られている。中間板は、ケーシング１０の構造の補強にも寄与している。中間板１４〜１７は設計により適宜の枚数、適宜の位置に配置される。４本の支柱１１ａ〜１１ｄは、上面視水平な正方形の四隅に、鉛直に配置されている。天板１３、底板１２、および複数の中間板１４、１５、１６、１７は、４本の支柱１１ａ〜１１ｄに固定されている。
【００３０】
ケーシング１０の４側面２０ａ〜２０ｄの外側には、化粧部材２０１、２０２が取り付けられている。各側面２０ａ〜２０ｄの化粧部材は、上化粧部材２０１、下化粧部材２０２に分割されている。
【００３１】
ケーシング１０の内部には、上から順に、第１ファン７、熱源側熱交換器６、第２ファン４、利用側熱交換器３、圧縮機１が配置されている。第１ファン７は、熱源側熱交換器６に空気を流通させる。第２ファン４は、利用側熱交換器３に空気を流通させる。底板１２と中間板１７の間には、圧縮機１だけでなく、アキュムレーター８、電装品（図示せず）が配置されている。
【００３２】
底板１２のさらに下には、４つのキャスターが取り付けられている。したがって、屋外空気調和装置１００は、移動可能である。
【００３３】
第１ファン７は、プロペラファンである。ターボファン、シロッコファンであってもよい。第１ファン７は、天板１３の中央部に吹出し口２９を開けて、天板の中央部から上方に空気を排出できるように取り付けられている。図示されていないが天板１３の中央部の吹出し口２９にはさらにメッシュ状の板が配置されている。
【００３４】
熱源側熱交換器６は、冷媒を流通させる伝熱管と、冷媒と空気との熱交換を推進する金属製フィンを含んでいる。熱源側熱交換器６は、ケーシング１０の４側面２０ａ〜２０ｄの全ての面に配置されている。冷媒は、すべての側面２０ａ〜２０ｄを通過させる必要は無い。たとえば、２側面ごとに２つに分離して、冷媒を分配して流通させてもよい。また。必ずしも４側面２０ａ〜２０ｄ全てに熱源側熱交換器６を配置しなくてもよい。３つの面、２つの面、１つの面だけに配置してもよい。
【００３５】
第２ファン４は、ターボファンである。プロペラファン、シロッコファンであってもよい。第２ファン４は、中間板１５、１６の間に、中間板１５の中央部に吊り下げるように取り付けられている。第２ファン４は、第１ファン７のモータと別のモータで駆動され、独立に制御可能である。
【００３６】
利用側熱交換器３は、冷媒を空気と熱交換させながら流通させる伝熱管と、冷媒と空気との熱交換を促進する金属製フィンとを含んでいる。利用側熱交換器３は、ケーシング１０の４側面２０ａ〜２０ｄの全ての面に配置されている。冷媒は、すべての面を通過させる必要は無い。たとえば、２側面ごとに２つに分離して、冷媒を分配して流通させてもよい。また。必ずしも４つの側面２０ａ〜２０ｄ全てに利用側熱交換器３を配置しなくてもよい。３つの面、２つの面、１つの面だけに配置してもよい。
【００３７】
電装品（図示せず）は、圧縮機１と同様に、支柱１１ａ〜１１ｄと、底板１２と、中間板１７とで囲われる空間に配置されている。電装品は、他の場所に配置されていても良い。電装品は、制御部の一部である。制御部は、圧縮機モータ、ファンモータ、膨張弁などを制御する。電装品は、回路基板等の電子機器を含んでいる。
【００３８】
（３）屋外空気調和装置１００における空気を流す構成と、空気の流れの説明
（３−１）利用側熱交換器３側の空気の流れ
図面を参照して、利用側熱交換器３側の空気の流れを詳細に説明する。図３Ａ、図３Ｂには、本実施形態の屋外空気調和装置１００における、主な空気の流れを矢印に示してある。
【００３９】
第２ファン４が運転されると、空気は、屋外空気調和装置１００の外部、４側面２０ａ〜２０ｄの利用側熱交換器３の前面から、下化粧部材２０２を通過して、中間板１６、１７の間の空間に取り込まれる。空気は、利用側熱交換器３を通過し、利用側熱交換器３において、冷媒と熱交換を行う。冷媒によって加熱または冷却された空気は、第２ファン４を通過し、中間板１５、１６の間の空間へ移動し、４側面２０ａ〜２０ｄに設けられた吹出し口３１ａ〜３１ｄから外の空間に、横方向に吹出される。吹出し口３１ａ〜３１ｄは、ケーシング１０に形成された穴である。ここで横方向とは、水平方向±３０°で定義する。本実施形態の屋外空気調和装置１００は、フラップ４０２を有しており、水平方向と、水平方向±３０°より広い角度に空気を吹出すことができる。吹出し口の向きを変更することにより、ある方向だけ全閉にして、特定の方向だけ空気の吹出しを封止することもできる。また、吹出し口３１ａ〜３１ｄに用いる部材、フラップ４０２などは、耐候性材料を用いるか、表面に耐候性処理を施すのが好ましい。ここで耐候性材料の例としては、アクリロニトリルスチレン重合体などであるが、これに限定されない。
【００４０】
（３−２）熱源側熱交換器６側の空気の流れ
第１ファン７が運転されると、空気は、屋外空気調和装置１００の外部の、熱源側熱交換器６が配置されている前面から、上化粧部材２０１を通過して、中間板１４、１５の間の空間に、取り込まれる。外気は、４側面２０ａ〜２０ｄにおいて、取り込まれる。外部から取り込まれた空気は、熱源側熱交換器６を通過して、冷媒と熱交換を行う。冷媒によって、加熱または冷却された空気は、屋外空気調和装置１００の内部で第１ファン７、天板１３の中央の吹出し口２９を通過して、屋外空気調和装置１００の外の上部に、上向きに吹出される。
【００４１】
（４）化粧部材２０１、２０２の構成
図面を用いて、本実施形態の化粧部材について、詳述する。図２は、屋外空気調和装置１００の一側面２０ａの正面図、図４Ａは、下中化粧部材２０２ｂの正面図、図４Ｂ、図５Ａ、図５Ｂは、下化粧部材２０２の断面図である。
【００４２】
図２に示すように、本実施形態の屋外空気調和装置１００の外側の一側面２０ａは、吹出し口に配置されるフラップ４０１、その下のパネル５３を除いて、上化粧部材２０１と、下化粧部材２０２で覆われている。
【００４３】
化粧部材２０１、２０２を構成する素材は、金属である。化粧部材は、熱交換器の前に、１０ｍｍ以下の間隔で配置される。繰り返し熱負荷を受けるため、耐熱性の高い材料が好ましい。
【００４４】
下化粧部材２０２は、３枚の化粧部材、すなわち、下左化粧部材２０２ａ、下中化粧部材２０２ｂ、下右化粧部材２０２ｃの３枚から構成されている。各化粧部材２０２ａ〜２０２ｃは、図４ＢのＢＢ断面図に示すように、両側に、第１嵌合部２０５ｐと、第２嵌合部２０５ｑとを有している。たとえば、下中化粧部材２０２ｂの第２嵌合部２０５ｑは、下右化粧部材２０２ｃの第１嵌合部２０５ｐと嵌合されて、下中化粧部材２０２ｂと下右化粧部材２０２ｃが接続される。このように３枚の化粧部材２０２ａ〜２０２ｃを組み合わせて１枚の化粧部材２０２として利用する。３枚の化粧部材２０２ａ〜２０２ｃは、同じ形状のものを用いる。化粧部材２０２ａ〜２０２ｃは、３枚に分けるため１枚ものより小さくなる。小さく、かつ同一のものを製造するため、製造が容易になる。
【００４５】
また、本実施形態の嵌合部２０５ｐ、２０５ｑは、第１突出部２１１と平行に形成されているので、嵌合部が目立たず、意匠性に優れる。
【００４６】
上化粧部材２０１も同様にして、３枚の化粧部材２０１ａ〜２０１ｃを接続して構成されている。
【００４７】
６枚の化粧部材の構成は、ほとんど同様であるので、下化粧部材２０２のうちの一枚である下中化粧部材２０２ｂを例にとって、図４Ａ、図５Ａ、図５Ｂを用いて、さらに詳しく説明する。
【００４８】
下化粧部材２０２は、通風部２０６と、その両端の第１連結部２０７、および、第２連結部２０８とを有している。通風部２０６には、開口２１３が形成されている。連結部２０７、２０８には、開口は、形成されていない。下化粧部材２０２の通風部２０６は、ちょうど、利用側熱交換器３の前面にある吸込み口３２ａ〜３２ｄに相当している。
【００４９】
通風部２０６のＡＡ断面を図５Ａに示す。
【００５０】
通風部２０６は、主板２１０と、第１突出部２１１とを有している。主板２１０には、複数の開口２１３が形成されている。第１突出部２１１は、隣接する開口２１３の間の主板２１０から突出している。前述したように、通風部２０６は、吸込み口３２に配置されており、空気は、図５Ａの矢印の方向へ流れる。このように、空気が入ってくる側に第１突出部２１１が設けられていることにより空気が整流され、第１突出部２１１が無い場合よりも通風抵抗は低下する。第１突出部の突出長さＬは、第１突出部の開口２１３の幅Ｗ１よりも大きい。さらに、本実施形態では、第１突出部の突出長さＬは、第１突出部の周期（すなわち開口２１３の周期と同じ）Ｐよりも大きい。
【００５１】
本実施形態の化粧部材２０２の通風部２０６は、さらに、第２突出部２１２を有している。第２突出部２１２は、第１突出部２１１と交差する方向に第１突出部２１１から突出している。より詳細には、第２突出部２１２は、第１突出部２１１の先端より突出している。そして、第１突出部２１１の先端は、平坦になっている。先端が平坦になっていると、先端に力が加わっても圧力が分散される構造となり、化粧板の強度を上げることができる。
【００５２】
また、開口のもっとも狭い部分の幅は、１ｍｍ以上、１２ｍｍ以下とするのが好ましい。ここで、開口のもっとも狭い部分の幅には、主板２１０の開口２１３の幅のみならず、隣接する第１突出部２１１、第２突出部２１２の間の通風路の幅も含む。本実施形態では、図５Ａのｗ１、ｗ２の部分が狭くなっており、ｗ１＝７ｍｍ、ｗ２＝８ｍｍである。つまり、開口のもっとも狭い部分の幅は、７ｍｍである。１ｍｍ以上が好ましい理由は、それ以下だと、通風抵抗が大きいからである。１２ｍｍ以下だと、通風抵抗を下げられる。開口のもっとも狭い部分の幅は、８ｍｍ以下とするのがより好ましい。開口の幅を狭くすることにより、ケーシングの内部が外部から見えにくくなり、意匠性を向上できる。
【００５３】
第１連結部２０７および第２連結部２０８は、通風部２０６の両端に配置されている。連結部２０７、２０８のＢＢ断面またはＣＣ断面の断面図を図５Ｂに示す。連結部２０７、２０８は、主板２１０と、第１突出部２１１と、第２突出部２１２とを有している。連結部２０７、２０８には、開口２１３は形成されていない。連結部２０７、２０８における、主板２１０と、第１突出部２１１と、第２突出部２１２とは、通風部２０６から連続して形成されている。連結部２０７、２０８においては、主板２１０は、第１突出部２１１を一定の距離で配列させる役割を持つ。つまり、連結部２０７、２０８によって、所定の開口幅を空けて主板２１０を固定することができる。
【００５４】
連結部２０７、２０８の主板２１０のその他の役割としては、ケーシングの内部と外部を遮断する役割がある。特に、第２連結部２０８は、中間板１７と、底板１２の間の圧縮機１や電装品（図示せず）の配置される空間をケーシング外のほこりや水等から守る役割がある。
【００５５】
一方で、第１突出部２１１および第２突出部２１２を連結部２０７、２０８に配置する主な理由は、統一的な外観を作るという、意匠的な観点からである。
【００５６】
以上、下化粧部材２０２の構成について詳述した。上化粧部材２０１の場合も全く同様である。異なるのは、利用側熱交換器３が熱源側熱交換器６に代わり、吸込み口３２が、吸込み口３３に代わる点である。したがって、化粧部材２０１の中で、通風部２０６の位置が、図４Ａよりも下方にシフトする。
【００５７】
（５）特徴
（５−１）
本実施形態の屋外空気調和装置は、一つのケーシング１０の中に、圧縮機１、熱源側熱交換器６、利用側熱交換器３、第１ファン７、第２ファン４を備えている。また、ケーシング１０の側面は、化粧部材２０１、２０２で覆われている。化粧部材２０１、２０２は、主板２１０と第１突出部２１１とを有している。主板２１０は、複数の開口２１３を有している。第１突出部２１１は、隣接する開口２１３の間の主板２１０から突出している。
【００５８】
本実施形態の化粧部材２０１、２０２は、第１突出部２１１を有するため、突出部が無い場合に比べて、化粧部材を出入りする空気の通風抵抗が低くなっている。したがって、本実施形態の屋外空気調和装置の化粧部材は、意匠性が良いにもかかわらず、冷暖房の性能が大きく損なわれることがない。
【００５９】
また、開口２１３の近くに第１突出部２１１を形成することにより、ケーシング１０の内部が、外部から直接見えにくくなり、美観が向上する。
【００６０】
（５−２）
本実施形態の屋外空気調和装置１００の化粧部材２０１、２０２は、熱交換器３、６の空気の吸込み口３２ａ〜３２ｄ、３３ａ〜３３ｄに配置されている。
【００６１】
本実施形態の化粧部材は、図５Ａにおいて、矢印の向きに空気が流れるとき、矢印の逆向きに空気が流れる場合よりも通風抵抗が低い。化粧部材の形状がこのような特徴を有している。そこで、本実施形態の化粧部材は、吸込み口の通風抵抗を下げる効果が高い。
【００６２】
（５−３）
本実施形態の化粧部材２０１、２０２は、通風部２０６と、通風部の両端の連結部２０７、２０８を有している。通風部２０６は、空気の吸込み口３２ａ〜３２ｄ、３３ａ〜３３ｄに形成されている。通風部２０６には、開口２１３が形成されている。
【００６３】
主板２１０、第１突出部２１１、第２突出部２１２は、通風部２０６、連結部２０７、２０８に連続して形成されている。本実施形態においては、主板２１０は、開口２１３の形成された、一枚の連続した板である。通風部２０６では、主板２１０は、開口２１３によって、連続性を有しておらず、連結部２０７、２０８はこれらを連結する役割を担っている。
【００６４】
また、連結部２０７、２０８は、開口２１３が形成されておらず、ケーシング１０の中の空間と外の空間を遮断する役割も果たしている。これにより外部の水やほこりなどが電装品や圧縮機が配置されている空間に侵入することを防ぐことができる。
【００６５】
本実施形態の化粧部材２０１、２０２は、突出部２１１、２１２を連結部２０７、２０８にも配置することにより、統一された美観を演出している。
【００６６】
（５−４）
本実施形態の化粧部材２０１、２０２は、第１突出部２１１の先端が開口を狭くする方向に膨らんでいる。
【００６７】
この構成によって、ケーシング１０の外から内部がさらに見えにくくなり、美観が向上する。
【００６８】
本実施形態では、開口を狭くする膨らみは、第２突出部２１２である。第２突出部２１２は、第１突出部２１１と交差する方向に第１突出部２１１から突出している。
【００６９】
さらに、第２突出部２１２は、第１突出部２１１の先端に配置されている。
【００７０】
また、第１突出部２１１の先端は、第２突出部２１２が配置されており、平坦である。
【００７１】
第１突出部２１１の先端が平坦となっているため、先端に力が加わっても圧力が分散される構造となり、化粧板の強度を上げることができる。
【００７２】
（５−５）
本実施形態の化粧部材２０１、２０２において、開口のもっとも狭い部分の幅は、１ｍｍ以上、１２ｍｍ以下である。
【００７３】
１ｍｍ未満だと、通風抵抗が大きく、空調能力が低下する。１２ｍｍより大きいと、人が開口１２３の間から手を入れて、内部の熱交換器のフィンに手を触れ、怪我をする恐れがある。
【００７４】
（５−６）
本実施形態の化粧部材２０１、２０２において、第１突出部２１１の突出長さ（Ｌ）は、開口２１３の幅（Ｗ１）よりも大きい。
【００７５】
このような構成とすることにより、ケーシング１０の外側から、内部が見えにくく、意匠性に優れている。
【００７６】
また、通風抵抗を抑制する効果もより大きくなる。
【００７７】
（６）変形例
（６−１）変形例１Ａ
変形例１Ａの化粧部材について、図５ＡのＡＡ断面に相当する断面図を図６に示す。変形例１Ａの化粧部材は、第１実施形態と同様に、複数の開口２１３が形成された主板２１０と、隣接する開口２１３の間の主板２１０から突出する第１突出部２１１と、を有する。変形例１Ａの化粧部材は、第１実施形態と異なり、第１突出部２１１から明確に区別できる第２突出部２１２はない。その他の屋外空気調和装置の構成は、第１実施形態と同様である。
【００７８】
変形例１Ａの化粧部材は、第１突出部２１１の先端が開口を狭くする方向に膨らんでいるため、ケーシング１０の外から内部がさらに見えにくくなり、美観が向上する。
【００７９】
（６−２）変形例１Ｂ
第１実施形態の化粧部材２０１、２０２は、第２突出部２１２が、第１突出部２１１の両側の通風路の方へ突出している。簡単に言うと、第１突出部２１１および第２突出部の形の断面がＴ字形状であった。変形例１Ｂの化粧部材においては、図７に示すように、第２突出部２１２が、第１突出部２１１の片側の通風路のみに突出している。簡単に言うと、第１突出部２１１および第２突出部の断面がＬ字形状である。その他の屋外空気調和装置の構成は、第１実施形態と同様である。
【００８０】
このような場合も、上述した、（５−１）〜（５−６）と全く同様の作用効果を得ることができる。
【００８１】
（６−３）変形例１Ｃ
変形例１Ｃの化粧部材について、第１実施形態の図５ＡのＡＡ断面に相当する断面図を図８に示す。変形例１Ｃの化粧部材は、変形例１Ｂの化粧部材の更なる変形である。変形例１Ｂでは、第１突出部２１１は、主板２１０からまっすぐに伸びていたが、変形例１Ｃでは、第１突出部２１１は、一方の通風路側に折れ曲がっている。その他の屋外空気調和装置の構成は、変形例１Ａと同じである。
【００８２】
変形例１Ｃの化粧部材も、第１実施形態と同様に、（５−１）〜（５−６）と同様の作用効果を得ることができる。さらに、このような構成とすることにより、第１実施形態よりも、ケーシング１０の外側から、内部が見えにくくなり、意匠性が向上する。
【００８３】
（６−４）変形例１Ｄ
変形例１Ｄの化粧部材は、第１実施形態の第１突出部２１１のみを有し、第２突出部２１２に相当するものは、有さない。その他の構成は、第１実施形態と同様である。
【００８４】
変形例１Ｄの化粧部材は、第１実施形態の（５−１）〜（５−３）、（５−５）、（５−６）の特徴を有する。
【００８５】
（６−５）変形例１Ｅ
変形例１Ｅの化粧部材は、上下に分離されていない、一体ものの化粧部材である。ケーシング１０の一側面あたり、左、中央、右の３枚の化粧部材で構成されている。その他の構成は、第１実施形態と同様である。
【００８６】
変形例１Ｅの化粧部材は、吹出し口３１ａ〜３１ｄの前面を覆っているが、通風抵抗が小さいので、特に問題はない。上から下まで化粧部材で覆うことにより、統一された美観が得られる。
【００８７】
（６−６）変形例１Ｆ
実施形態１の上化粧部材２０１は、３枚の化粧部材２０１ａ〜２０１ｃで構成されている。変形例１Ｆの上化粧部材２０１は、１枚で構成されている。変形例１Ｆの下化粧部材２０２も１枚で構成されている。
【００８８】
変形例１Ｆの化粧部材２０１、２０２は、嵌合部２０５ｐ、２０５ｑがなく、継ぎ目のない連続した意匠を形成できる。
【００８９】
（６−７）変形例１Ｇ
変形例１Ｇの化粧部材は、第１実施形態のものと同様であるが、第１突出部２１１の突出長さＬが開口の幅Ｗ１よりも小さいところのみが異なる。
【００９０】
変形例１Ｇの化粧部材は、第１実施形態と同様に、（５−１）〜（５−５）の特徴を有する。
【００９１】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００９２】
１００          屋外空気調和装置
１              圧縮機
２              四方切換弁
３              利用側熱交換器
４              第２ファン
５              膨張弁
６              熱源側熱交換器
７              第１ファン
８              アキュムレーター
１０            ケーシング
１１ａ〜１１ｄ  支柱
２０ａ〜２０ｄ  側面
２０１、２０２  化粧部材
２０６          通風部
２０７、２０８  連結部
２１０          主板
２１１          第１突出部
２１２          第２突出部
２１３          開口
２５            枠体
３０            吹出し口部材
３００          パネル
３１ａ〜３１ｄ  吹出し口
３２ａ〜３２ｄ  吸込み口
３３ａ〜３３ｄ  吸込み口
４０２          フラップ
５３            パネル
【先行技術文献】
【特許文献】
【００９３】
【特許文献１】特開２００２−２２８１８６号公報
【図１】
2020003177.tif 000003
【図２】
2020003177.tif 000004
【図３Ａ】
2020003177.tif 000005
【図３Ｂ】
2020003177.tif 000006
【図４Ａ】
2020003177.tif 000007
【図４Ｂ】
2020003177.tif 000008
【図５Ａ】
2020003177.tif 000009
【図５Ｂ】
2020003177.tif 000010
【図６】
2020003177.tif 000011
【図７】
2020003177.tif 000012
【図８】
2020003177.tif 000013